(57)【特許請求の範囲】
【請求項１】
端末機が基地局から端末機までデータを送信する最適送信モードを決める方法において、
前記基地局から前記端末機までの経路に対する第１チャンネル状態情報を生成する段階と、
中継から前記端末機までの経路に対する第２チャンネル状態情報を生成する段階と、
前記基地局から前記中継までの経路に対する第３チャンネル状態情報を前記中継から受信する段階と、
前記第１チャンネル状態情報、前記第２チャンネル状態情報、および前記第３チャンネル状態情報に基づいて、複数の送信モードのうちから最適送信モードを決める段階と、
前記決められた送信モードを前記基地局に送信する段階と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とするデータ送信モード決定方法。
【請求項２】
前記第１チャンネル状態情報を生成する段階は、前記端末機が前記基地局から受信した第１パイロット信号に基づいて前記第１チャンネル状態情報を生成し、
前記第２チャンネル状態情報を生成する段階は、前記端末機が前記中継から受信した第２パイロット信号に基づいて前記第２チャンネル状態情報を生成する
ことを特徴とする請求項１に記載のデータ送信モード決定方法。
【請求項３】
前記第１パイロット信号と前記第２パイロット信号は、互いに直交する
ことを特徴とする請求項２に記載のデータ送信モード決定方法。
【請求項４】
前記決められた最適送信モードに対して、前記送信されるデータの変調方式またはチャンネルコーディング方式を決める段階と、
前記決められた変調方式または前記決められたチャンネルコーディング方式を前記基地局に送信する段階と、をさらに含む
ことを特徴とする請求項１に記載のデータ送信モード決定方法。
【請求項５】
中継が基地局から端末機までデータを送信する最適送信モードを決める方法において、
前記基地局から前記端末機までの経路に対する第１チャンネル状態情報を前記端末機から受信する段階と、
前記中継から前記端末機までの経路に対する第２チャンネル状態情報を前記端末機から受信する段階と、
前記基地局から前記中継までの経路に対する第３チャンネル状態情報を生成する段階と、
前記第１チャンネル状態情報、前記第２チャンネル状態情報、および前記第３チャンネル状態情報に基づいて、複数の送信モードのうちから最適送信モードを決める段階と、
前記決められた最適送信モードを前記基地局に送信する段階と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とするデータ送信モード決定方法。
【請求項６】
前記第１チャンネル状態情報を受信する段階は、前記端末機が前記基地局から受信した第１パイロット信号に基づいて生成した前記第１チャンネル状態情報を受信し、
前記第２チャンネル状態情報を受信する段階は、前記端末機が前記中継から受信した第２パイロット信号に基づいて生成した前記第２チャンネル状態情報を受信する
ことを特徴とする請求項５に記載のデータ送信モード決定方法。
【請求項７】
前記第１パイロット信号と前記第２パイロット信号は、互いに直交する
ことを特徴とする請求項６に記載のデータ送信モード決定方法。
【請求項８】
前記決められた最適送信モードに対して、前記送信されるデータの変調方式またはチャンネルコーディング方式を決める段階と、
前記決められた変調方式または前記決められたチャンネルコーディング方式を前記基地局に送信する段階と、をさらに含む
ことを特徴とする請求項５に記載のデータ送信モード決定方法。
【請求項９】
基地局が基地局から端末機までデータを送信する最適送信モードを決める方法において、
前記基地局から前記端末機までの経路に対する第１チャンネル状態情報を前記端末機から受信する段階と、
中継から前記端末機までの経路に対する第２チャンネル状態情報を前記端末機から受信する段階と、
前記基地局から前記中継までの経路に対する第３チャンネル状態情報を前記中継から受信する段階と、
前記第１チャンネル状態情報、前記第２チャンネル状態情報、および前記第３チャンネル状態情報に基づいて、複数の送信モードのうちから最適送信モードを決める段階と、
前記決められた最適送信モードを前記基地局に送信する段階と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とするデータ送信モード決定方法。
【請求項１０】
前記第１チャンネル状態情報を受信する段階は、前記端末機が前記基地局から受信した第１パイロット信号に基づいて生成した前記第１チャンネル状態情報を受信し、
前記第２チャンネル状態情報を生成する段階は、前記端末機が前記中継から受信した第２パイロット信号に基づいて生成した前記第２チャンネル状態情報を受信する
ことを特徴とする請求項９に記載のデータ送信モード決定方法。
【請求項１１】
前記第１パイロット信号と第２パイロット信号は、互いに直交する
ことを特徴とする請求項１０に記載のデータ送信モード決定方法。
【請求項１２】
前記決められた最適送信モードに対して、前記データの変調方式またはチャンネルコーディング方式を決める段階をさらに含む
ことを特徴とする請求項９に記載のデータ送信モード決定方法。
【請求項１３】
端末機が基地局から中継を経由してデータを受信する方法において、
前記基地局から複数の送信モードのうちで決められた最適送信モードを受信する段階と、
前記受信された最適送信モードを参照して第１データフレームを受信する段階と、を含み、
前記複数の送信モードは、
前記データ全体を前記基地局から前記端末機に直接送信し、前記データ全体を前記基地局から前記中継を経由して前記端末機に送信する第１送信モードと、
前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記受信された最適送信モードが前記第１送信モードまたは前記第２送信モードである場合に、前記受信された最適送信モードと関連する受信時間区間情報を受信する段階をさらに含み、
前記第１データフレームを受信する段階は、前記受信された受信時間区間情報に基づいて、前記中継または前記基地局から第１データフレームを受信する
ことを特徴とするデータ受信方法。
【請求項１４】
前記基地局から前記端末機までの経路に対する第１チャンネル状態情報を生成する段階と、
前記中継から前記端末機までの経路に対する第２チャンネル状態情報を生成する段階と、をさらに含む
ことを特徴とする請求項１３に記載のデータ受信方法。
【請求項１５】
前記第１チャンネル状態情報を生成する段階は、前記基地局から受信した第１パイロット信号に基づいて前記第１チャンネル状態情報を生成し、
前記第２チャンネル状態情報を生成する段階は、前記中継から受信した第２パイロット信号に基づいて前記第２チャンネル状態情報を生成する
ことを特徴とする請求項１４に記載のデータ受信方法。
【請求項１６】
前記第１パイロット信号と前記第２パイロット信号は、互いに直交する
ことを特徴とする請求項１５に記載のデータ受信方法。
【請求項１７】
前記基地局から前記中継までの経路に対する第３チャンネル状態情報を前記中継から受信する段階と、
前記第１チャンネル状態情報、前記第２チャンネル状態情報、および前記第３チャンネル状態情報に基づいて第２最適送信モードを決める段階と、
前記決められた第２最適送信モードを前記基地局に送信する段階と、
前記第２最適送信モードを参照して第２データフレームを受信する段階と、をさらに含む
ことを特徴とする請求項１３に記載のデータ受信方法。
【請求項１８】
前記生成された第１チャンネル状態情報または前記生成した第２チャンネル状態情報を前記基地局または前記中継に送信する段階をさらに含む
ことを特徴とする請求項１５に記載のデータ受信方法。
【請求項１９】
前記最適送信モードを受信する段階は、
前記受信する第１データフレームに含まれたデータの変調方式またはチャンネルコーディング方式を受信する段階をさらに含み、
前記第１データフレームを受信する段階は、
前記受信された変調方式またはチャンネルコーディング方式に基づいて前記第１データフレームを受信する
ことを特徴とする請求項１３に記載のデータ受信方法。
【請求項２０】
前記最適送信モードは、複数の周波数帯域毎個々に相違するように決められており、
前記第１データフレームを受信する段階は、前記相違するように決められた最適送信モードに応じて前記複数の周波数帯域毎に複数の第１データフレームを受信する
ことを特徴とする請求項１３に記載のデータ受信方法。
【請求項２１】
前記第１データフレームを受信する段階は、複数の周波数帯域を用いて複数の第１データフレームを受信し、
前記変調方式または前記チャンネルコーディング方式は、前記複数の周波数帯域毎に相違するように決められる
ことを特徴とする請求項１９に記載のデータ受信方法。
【請求項２２】
中継が基地局から受信されたデータを端末機に転送する方法において、
複数の送信モードのうちから決められた最適送信モードを前記基地局から受信する段階と、
前記受信された最適送信モードを参照して第１データフレームを受信する段階と、
前記受信された最適送信モードを参照して前記受信された第１データフレームを端末機に転送する段階と、を含み、
前記複数の送信モードは、
前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記受信された最適送信モードが前記第１送信モードまたは前記第２送信モードである場合に、前記受信された最適送信モードと関連する第１時間区間情報および第２時間区間情報を受信する段階をさらに含み、
前記第１データフレームを受信する段階は、前記受信された第１時間区間情報に基づいて前記基地局から第１データフレームを受信し、
前記第１データフレームを転送する段階は、前記受信された第２時間区間情報に基づいて前記第１時間区間に受信した第１データフレームを前記端末機に転送する
ことを特徴とするデータ転送方法。
【請求項２３】
前記基地局から前記中継までの経路に対する第３チャンネル状態情報を生成する段階をさらに含む
ことを特徴とする請求項２２に記載のデータ転送方法。
【請求項２４】
前記基地局から前記端末機までの経路に対する第１チャンネル状態情報を前記端末機から受信する段階と、
前記中継から前記端末機までの経路に対する第２チャンネル状態情報を前記端末機から受信する段階と、
前記第１チャンネル状態情報、前記第２チャンネル状態情報、および前記第３チャンネル状態情報に基づいて第２最適送信モードを決める段階と、
前記決められた第２最適送信モードを前記基地局に送信する段階と、
前記第２最適送信モードを参照して第２データフレームを受信する段階と、をさらに含む
ことを特徴とする請求項２３に記載のデータ転送方法。
【請求項２５】
前記生成した第３チャンネル状態情報を前記基地局または前記端末機に送信する段階をさらに含む
ことを特徴とする請求項２３に記載のデータ転送方法。
【請求項２６】
前記最適送信モードを受信する段階は、
前記基地局から受信する第１データフレームに含まれたデータの変調方式またはチャンネルコーディング方式、または前記端末機に転送される第１データフレームに含まれたデータの変調方式またはチャンネルコーディング方式を受信する段階をさらに含み、
前記第１データフレームを受信する段階は、前記基地局から受信する第１データフレームに含まれたデータの変調方式、または前記基地局から受信する第１データフレームに含まれたデータのチャンネルコーディング方式に基づいて前記第１データフレームを受信し、
前記第１データフレームを転送する段階は、前記端末機に転送される第１データフレームに含まれたデータの変調方式、または前記端末機に転送される第１データフレームに含まれたデータのチャンネルコーディング方式に基づいて前記第１データフレームを転送する
ことを特徴とする請求項２２に記載のデータ転送方法。
【請求項２７】
前記最適送信モードは、複数の周波数帯域毎個々に相違するように決められており、
前記第１データフレームを受信する段階は、前記相違するように決められた最適送信モードに応じて複数の周波数帯域毎に複数の第１データフレームを受信し、
前記第１データフレームを転送する段階は、前記相違するように決められた最適送信モードに応じて複数の周波数帯域毎に複数の第１データフレームを転送する
ことを特徴とする請求項２２に記載のデータ転送方法。
【請求項２８】
前記第１データフレームを受信する段階は、複数の周波数帯域を用いて複数の第１データフレームを受信し、
前記第１データフレームを転送する段階は、複数の周波数帯域を用いて前記受信された複数の第１データフレームを転送し、
前記基地局から受信する第１データフレームに含まれたデータの変調方式または前記基地局から受信する第１データフレームに含まれたデータのチャンネルコーディング方式、または前記端末機に転送される第１データフレームに含まれたデータの変調方式、または前記端末機に転送される第１データフレームに含まれたデータのチャンネルコーディング方式を受信する段階は、前記複数の周波数帯域毎に相違するように決められた最適送信モードを受信する
ことを特徴とする請求項２６に記載のデータ転送方法。
【請求項２９】
基地局がデータを端末機に送信する方法において、
複数の送信モードのうちから決められた第１最適送信モードを中継または前記端末機に送信する段階と、
前記送信された最適送信モードを参照して第１データフレームを送信する段階と、
を含み、
前記複数の送信モードは、前記データ全体を前記基地局から前記端末機に直接送信し、前記データ全体を前記基地局から中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記送信された最適送信モードが前記第１送信モードまたは前記第２送信モードである場合に、
前記送信された最適送信モードと関連する第１時間区間情報および第２時間区間情報を送信する段階をさらに含み、
前記第１データフレームを送信する段階は、前記第１時間区間および前記第２時間区間情報を参照してデータを送信する
ことを特徴とするデータ送信方法。
【請求項３０】
前記送信された最適送信モードが第１送信モードである場合に、
前記データを送信する段階は、前記第１時間区間には前記中継に前記データ全体を送信し、前記第２時間区間には前記端末機に前記データ全体を送信する
ことを特徴とする請求項２９に記載のデータ送信方法。
【請求項３１】
前記送信された最適送信モードが第２送信モードである場合に、
前記データを送信する段階は、前記第１時間区間には前記中継に前記データのうちの残りの部分を前記中継に送信し、前記第２時間区間には前記端末機に前記データのうちの一定部分を送信する
ことを特徴とする請求項２９に記載のデータ送信方法。
【請求項３２】
前記基地局から前記端末機までの経路に対する第１チャンネル状態情報を受信する段階と、
前記中継から前記端末機までの経路に対する第２チャンネル状態情報を受信する段階と、
前記基地局から前記中継までの経路に対する第３チャンネル状態情報を前記中継から受信する段階と、
前記第１チャンネル状態情報、前記第２チャンネル状態情報、および前記第３チャンネル状態情報に基づいて第２最適送信モードを決める段階と、
前記決められた第２最適送信モードを前記中継および端末機に送信する段階と、
前記送信された第２最適送信モードを参照して第２データフレームを送信する段階と、をさらに含む
ことを特徴とする請求項２９に記載のデータ送信方法。
【請求項３３】
前記第１最適送信モードを送信する段階は、
前記送信する第１データフレームに含まれたデータの変調方式またはチャンネルコーディング方式を送信する段階をさらに含み、
前記データを送信する段階は、
前記送信した変調方式または前記チャンネルコーディング方式に基づいて前記データを送信する
ことを特徴とする請求項２９に記載のデータ送信方法。
【請求項３４】
前記第１最適送信モードは、複数の周波数帯域毎個々に相違するように決められており、
前記第１データフレームを送信する段階は、前記相違するように決められた第１最適送信モードに応じて前記複数の周波数帯域毎に複数の第１データフレームを送信する
ことを特徴とする請求項２９に記載のデータ送信方法。
【請求項３５】
前記第１データフレームを送信する段階は、複数の周波数帯域を用いて複数の第１データフレームを送信し、
前記変調方式またはチャンネルコーディング方式は、前記複数の周波数帯域毎に相違するように決められる
ことを特徴とする請求項３３に記載のデータ送信方法。
【請求項３６】
請求項１乃至請求項３５のいずれか一項に記載の方法の各段階をコンピュータに実行させるためのプログラムを記録したコンピュータ読み取り可能な記録媒体。
【請求項３７】
基地局から端末機までデータを送信する最適送信モードを決める端末機において、
前記基地局から前記端末機までの経路に対する第１チャンネル状態情報を生成し、前記中継から前記端末機までの経路に対する第２チャンネル状態情報を生成するチャンネル状態情報生成部と、
前記基地局から前記中継までの経路に対する第３チャンネル状態情報を前記中継から受信する受信部と、
前記第１チャンネル状態情報、前記第２チャンネル状態情報、および前記第３チャンネル状態情報に基づいて、複数の送信モードのうちから最適送信モードを決める制御部と、
前記決められた最適送信モードを前記基地局に送信する送信部と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とする端末機。
【請求項３８】
基地局から端末機までデータを送信する最適送信モードを決める中継において、
前記基地局から前記端末機までの経路に対する第１チャンネル状態情報を前記端末機から受信し、中継から前記端末機までの経路に対する第２チャンネル状態情報を前記端末機から受信する受信部と、
前記基地局から前記中継までの経路に対する第３チャンネル状態情報を生成するチャンネル状態情報生成部と、
前記第１チャンネル状態情報、第２チャンネル状態情報、および第３チャンネル状態情報に基づいて、複数の送信モードのうちから最適送信モードを決める制御部と、
前記決められた最適送信モードを前記基地局に送信する送信部と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とする中継。
【請求項３９】
基地局から端末機までデータを送る最適送信モードを決める基地局装置において、
前記基地局から前記端末機までの経路に対する第１チャンネル状態情報を前記端末機から受信して、中継から前記端末機までの経路に対する第２チャンネル状態情報を前記端末機から受信して、前記基地局から前記中継までの経路に対する第３チャンネル状態情報を前記中継から受信する受信部と、
前記第１チャンネル状態情報、前記第２チャンネル状態情報および前記第３チャンネル状態情報に基盤して複数の送信モードの中で最適送信モードを決める制御部と、および
前記決まった最適送信モードを前記基地局で送る送信部と、を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含む
ことを特徴とする基地局装置。
【請求項４０】
基地局から中継を経由してデータを受信する端末機において、
前記基地局から複数の送信モードのうちで決められた最適送信モードを受信し、前記受信された最適送信モードを参照してデータを受信する受信部を含み、
前記複数の送信モードは、前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記受信された最適送信モードが前記第１送信モードまたは前記第２送信モードである場合に、
前記受信部は、前記受信された最適送信モードと関連する受信時間区間情報を受信し、
前記受信された受信時間区間情報に基づいて前記中継または前記基地局からデータを受信する
ことを特徴とする端末機。
【請求項４１】
基地局から受信されたデータを端末機に転送する中継において、
複数の送信モードのうちから決められた最適送信モードを前記基地局から受信し、前記受信された最適送信モードを参照してデータを受信する受信部と、
前記受信された最適送信モードを参照して前記受信されたデータを前記端末機に転送する転送部と、を含み、
前記複数の送信モードは、
前記データ全体を前記基地局から前記端末機に直接送信し、前記データ全体を前記基地局から前記中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記受信された最適送信モードが前記第１送信モードまたは前記第２送信モードである場合に、
前記受信部は、前記受信された最適送信モードと関連する第１時間区間情報および第２時間区間情報を受信し、
前記受信された第１時間区間情報に基づいて前記基地局から第１データフレームを受信し、
前記転送部は、前記受信された第２時間区間情報に基づいて前記第１時間区間に受信したデータを前記端末機に転送する
ことを特徴とする中継。
【請求項４２】
中継を用いて端末機にデータを送信する基地局装置において、
複数の送信モードのうちから決められた最適送信モードを中継または前記端末機に送信し、前記送信された最適送信モードを参照してデータを送信する送信部を含み、
前記複数の送信モードは、前記データ全体を前記基地局から前記端末機に直接送信し、前記データ全体を前記基地局から中継を経由して前記端末機に送信する第１送信モードと、前記データのうちの一定部分を前記基地局から前記端末機に直接送信し、前記データのうちの残りの部分を前記基地局から前記中継を経由して前記端末機に送信する第２送信モードと、のうちの少なくとも１つを含み、
前記送信された最適送信モードが前記第１送信モードまたは前記第２送信モードである場合に、
前記送信部は、前記送信された最適送信モードと関連する第１時間区間情報および第２時間区間情報を送信し、
前記第１時間区間および前記第２時間区間情報を参照してデータを送信する
ことを特徴とする基地局装置。
【発明の詳細な説明】
【技術分野】
【０００１】
本発明は、中継を用いたデータ送信方法に関し、より詳細には、中継を用いた最適送信モードを決定するためのシグナルリング方法と、最適送信モードを決定するためのフレーム構造に関する。
【背景技術】
【０００２】
無線通信網の発展に伴い、単純な音声通信だけではなく、映像通話データの送信など様々なサービスを無線で利用できるようになった。
【０００３】
デジタル通信における通信の品質は、データを乗せて送信される信号の強度と干渉信号およびノイズの強度の比率によって決まる。しかし、データを乗せて送信される信号の強度は、無線チャンネルの特性により、時間が経つにつれて変化する。したがって、従来の移動通信環境では、無線チャンネルが時間によって変化するフェーディング（ｆａｄｉｎｇ）現象により、特定のサービスを利用する無線端末機に通信品質を保障することが不可能であった。
【０００４】
これを克服するために、一定の「信号対雑音干渉電力比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＮＩＲ）」値を設定し、この値を基準として、データを乗せて送信される信号の強度を制御する技法が提案された。しかし、無線チャンネルの状態が極めて急速に変化する場合には、この技法を用いて通信品質を維持することは不可能であった。
【０００５】
このようなフェーディング現象を克服するために、様々なダイバーシティ方式が用いられてきた。特に、空間的に遠く離れた場所に位置する複数のアンテナを用いてデータを送受信する空間ダイバーシティ方式は、フェーディング現象の克服において効果的かつ簡単な技法であるとして広く用いられてきた。
【０００６】
しかし、空間ダイバーシティ方式は、基地局またはアクセスポイントのように、アンテナを装着した空間が十分である場合には使用が可能であるが、アンテナを装着した空間が狭小な端末機では利用が不可能であるという問題点があった。
【０００７】
前記のような問題点を克服するために、中継を用いたデータ送信方法が提案された。中継とは、基地局からデータを受信し、受信したデータを端末機に転送するものであって、端末機は、基地局から端末機までの経路または中継から端末機までの経路のうちからチャンネル状態が優れた経路を用いてデータを受信するようになる。
【０００８】
しかし、基地局、中継、端末機を連結する経路のうちから最適な経路を決めるための具体的なシグナリング過程と、最適な経路を決めるためのデータフレーム構造などについては提案されておらず、実際にデータ送信を行うには無理があった。
【発明の開示】
【発明が解決しようとする課題】
【０００９】
本発明は、前記のような従来技術を改善するために案出されたものであって、中継を用いたデータ送信方法において、最適送信モードを端末機で決めるための方法を提供する。
【００１０】
また、本発明は、中継を用いたデータ送信方法において、最適送信モードを中継で決めるための方法を提供することを他の目的とする。
【００１１】
また、本発明は、中継を用いたデータ送信方法において、最適送信モードを基地局で決めるための方法を提供することを他の目的とする。
【００１２】
また、本発明は、中継を用いたデータ受信方法において、最適送信モードを決めるためのフレーム構造を用いたデータ転送方法を提供することを他の目的とする。
【００１３】
また、本発明は、中継におけるデータ転送方法において、最適送信モードを決めるためのフレーム構造を用いたデータ転送方法を提供することを他の目的とする。
【００１４】
また、本発明は、中継を用いたデータ送信方法において、最適送信モードを決めるためのフレーム構造を用いたデータ送信方法を提供することを他の目的とする。
【課題を解決するための手段】
【００１５】
前記の目的を達成し、従来技術の問題点を解決するために、本発明は、端末機が基地局から端末機までデータを送信する最適送信モードを決める方法において、前記基地局から前記端末機までの経路に対する第１チャンネル状態情報を生成する段階と、中継から前記端末機までの経路に対する第２チャンネル状態情報を生成する段階と、前記基地局から前記中継までの経路に対する第３チャンネル状態情報を前記中継から受信する段階と、前記第１チャンネル状態情報、前記第２チャンネル状態情報、および前記第３チャンネル状態情報に基づいて、複数の送信モードのうちから最適送信モードを決める段階と、前記決められた最適送信モードを前記基地局に送信する段階とを含むことを特徴とするデータ送信モード決定方法を提供する。
【００１６】
本発明の一側によれば、中継が基地局から端末機までデータを送信する最適送信モードを決める方法において、前記基地局から前記端末機までの経路に対する第１チャンネル状態情報を前記端末機から受信する段階と、前記中継から前記端末機までの経路に対する第２チャンネル状態情報を前記端末機から受信する段階と、前記基地局から前記中継までの経路に対する第３チャンネル状態情報を生成する段階と、前記第１チャンネル状態情報、第２チャンネル状態情報、および第３チャンネル状態情報に基づいて、複数の送信モードのうちから最適送信モードを決める段階と、前記決められた最適送信モードを前記基地局に送信する段階とを含むことを特徴とするデータ送信モード決定方法を提供する。
【００１７】
本発明のさらに他の一側によれば、端末機が基地局から中継を経由してデータを受信する方法において、複数の送信モードのうちから決められた最適送信モードを前記基地局から受信する段階と、前記受信された最適送信モードを参照してデータを受信する段階とを含み、前記複数の送信モードは、前記データ全体を前記基地局から前記端末機に直接送信する第１送信モードと、前記データ全体を前記基地局から前記端末機に直接送信し、前記データ全体を前記基地局から前記中継を経由して前記端末機に送信する第２送信モードと、前記データのうちの一定の部分を前記基地局から前記端末機に直接送信し、前記データのうちの残りの部分を前記基地局から前記中継を経由して前記端末機に送信する第３送信モードのうちの少なくとも１つを含み、前記受信された最適送信モードが前記第２送信モードまたは前記第３送信モードである場合には、前記受信された最適送信モードと関連した受信時間区間情報を受信する段階をさらに含み、前記データを受信する段階は、前記受信された受信時間区間情報に基づいて、前記中継または基地局からデータを受信することを特徴とするデータ受信方法を提供する。
【発明の効果】
【００１８】
本発明によれば、中継を用いたデータ送信方法において、データを送信するための最適送信モードを端末機で決めることができる。
【００１９】
本発明によれば、中継を用いたデータ送信方法において、データを送信するための最適送信モードを中継で決めることができる。
【００２０】
本発明によれば、中継を用いたデータ送信方法において、データを送信するための最適送信モードを基地局で決めることができる。
【００２１】
本発明によれば、中継を用いたデータ受信方法において、最適送信モードを決めるためのフレーム構造を用いてデータを受信することができる。
【００２２】
本発明によれば、中継におけるデータ転送方法において、最適送信モードを決めるためのフレーム構造を用いてデータを転送することができる。
【００２３】
本発明によれば、中継を用いたデータ送信方法において、最適送信モードを決めるためのフレーム構造を用いてデータを送信することができる。
【発明を実施するための最良の形態】
【００２４】
以下、添付の図面に基づき、本発明の好適な実施の形態を詳細に説明するが、本発明がこれらの実施形態によって制限または限定されることはない。図中、同じ参照符号は同じ部材を示す。
【００２５】
図１は、本発明に係る中継システムを示した図である。図１に示すように、中継を用いてデータを送信するシステムは、基地局１１０と、中継１２０と、端末機１３０とを含む。以下、図１を参照して、各構成要素別にその機能について詳しく説明する。
【００２６】
基地局１１０は、予め決められた最適送信モードに応じて基地局１１０から端末機１３０まで直接データを送信したり、基地局１１０から中継１２０を経て端末機１３０にデータを送信したりする。最適送信モードに応じて、端末機は、同じデータを同じ時間内に基地局１１０および中継１２０から受信することもできるし、相違するデータを同じ時間内に基地局１１０および中継１２０から受信することもできる。
【００２７】
中継１２０は、予め決められた最適送信モードを基地局から受信し、受信した最適送信モードに応じて基地局１１０から受信したデータを端末機１３０に送信する。送信モードによって、中継１２０は、データ送信において何らの役割も行わない場合もある。本発明における中継１２０は、通信事業を遂行する通信事業者が通信システムの性能を向上させるために設置した固定的な構造物でもあり得るし、他のユーザ端末機の通信をサポートするために基地局１１０からデータを受信し、受信したデータを他のユーザ端末機に転送する一般的なユーザ端末機でもあり得る。
【００２８】
端末機１３０は、予め決められた最適送信モードを基地局から受信し、受信した最適送信モードに応じて基地局１１０からデータを受信する。送信モードによって、端末機１３０は、基地局から直接データを受信する場合もあるし、中継１２０を経由してデータを受信する場合もある。中継１２０を経由してデータを受信する場合にも、端末機１３０は、基地局１１０と中継１２０から同じ時間に同じデータを受信することもできるし、別のデータを受信することもできる。
【００２９】
中継１２０を用いたデータ送信システムにおいて、最適送信モードは、基地局１１０から端末機１３０までの経路に対する第１チャンネル状態情報１４０と、中継１２０から端末機１３０までの経路に対する第２チャンネル状態情報１５０と、基地局１１０から中継１２０までの経路に対する第３チャンネル状態情報１６０とをすべて考慮して決められる。
【００３０】
本発明の一実施形態によっては、基地局が最適送信モードを決めるようになるが、他の実施形態では、中継または端末機が最適送信モードを決めることもできる。
【００３１】
図２ａは、本発明に係る中継システムにおける第１送信モードを示した図である。第１送信モードでは、第１時間区間２１０と第２時間区間２２０において、同じ方法でデータを送信する。以下、図２ａを参照して、第１送信モードのデータ送信方法について詳しく説明する。
【００３２】
第１時間区間２１０に、基地局２１１は、中継２１２を経由せずに端末機２１３に直接データを送信する。基地局２１１から端末機２１３までの経路に対するチャンネル状態が極めて良好な場合には、基地局２１１から端末機２１３まで直接データを送信する第１送信モードが、データ送信効率の高い最適送信モードとして決められるようになる。
【００３３】
また、第１送信モードでは、基地局２１１は、第２時間区間２２０でも中継２１２を経由せずに端末機２１３に直接データを送信する。
【００３４】
本発明の一実施形態によって、基地局２２１、中継２２２、または端末機２２３が基地局２２１から端末機２２３までの経路２２４に対する第１チャンネル状態情報、中継２２２から端末機２２３までの経路に対する第２チャンネル状態情報、および基地局２１１から中継２１２までの経路に対する第３チャンネル状態情報をすべて考慮し、様々な送信モードのうちから第１送信モードを最適送信モードとして決めるようになる。
【００３５】
図２ｂは、本発明に係る中継システムにおける第２送信モードを示した図である。第２送信モードでは、第１時間区間２３０と第２時間区間２４０において、相違した経路を介してデータが送信される。以下、図２ｂを参照して、第２送信モードのデータ送信方法について詳しく説明する。
【００３６】
第１時間区間２３０に、基地局２３１は、中継２３２にデータを送信する。このとき、送信されるデータは、基地局２３１が所定の時間内に端末機２３３に送信すべきデータ全体である。
【００３７】
第２時間区間２４０に、基地局２４１は、端末機２４３にデータを送信する。第２送信モードにおいて、基地局２４１が第２時間区間２４０に端末機２４３に送信するデータは、基地局２４１が所定の時間内に端末機２４３に送信すべきデータ全体である。また、第２時間区間２４０には、中継２４２が第１時間区間２３０内に基地局２４１から受信したデータも端末機２４３に送信される。結果的には、基地局２４１と中継２４２が同じデータを同じ時間に端末機２４３に送信することになる。基地局２４１と中継２４２が空間的に相当に離隔していると仮定すれば、基地局２４１から端末機２４３までの経路２４４のチャンネル状態と中継２４２から端末機２４３までの経路２４５のチャンネル状態は互いに独立的に変化するため、端末機２４３は、ダイバーシティ（ｄｉｖｅｒｓｉｔｙ）効果を用いて基地局２４１と中継２４２から送信される信号を受信するようになる。
【００３８】
本発明の一実施形態によっては、基地局、中継、または端末機が基地局から中継までの経路２３４に対するチャンネル状態情報、基地局から端末機までの経路２４４に対するチャンネル状態情報、および中継から端末機までの経路２４５に対するチャンネル状態情報をすべて考慮し、様々な送信モードのうちから第２送信モードを最適送信モードとして決めるようになる。
【００３９】
図２ｃは、本発明に係る中継システムにおける第３送信モードを示した図である。第３送信モードでは、第１時間区間２５０と第２時間区間２６０において、相違した経路でデータが送信される。以下、図２ｃを参照して、第３送信モードのデータ送信方法について詳しく説明する。
【００４０】
第１時間区間２５０に、基地局２５１は、中継２５２にデータを送信する。このとき、送信されるデータは、基地局２５１が所定の時間内に端末機２５３に送信すべきデータの一部のみである。
【００４１】
第２時間区間２６０に、基地局２６１は、端末機２６３にデータを送信する。第３送信モードにおいて、基地局２６１が第２時間区間２６０に端末機２６３に送信するデータは、基地局２６１が所定の時間内に端末機２６３に送信すべきデータのうち、第１時間区間２５０内に送信したデータを除いた残りである。また、第２時間区間２６０には、中継２６２が第１時間区間２５０内に基地局２６１から受信したデータも端末機２６３に送信される。結果的には、基地局２６１が端末機２６３に送信すべき全体データを、基地局２６１と中継２６２が互いに一定部分ずつ分けて端末機２６３に送信することになる。
【００４２】
本発明の一実施形態によって、基地局２６１、中継２６２、または端末機２６３が基地局２６１から端末機２６３までの経路２６４に対する第１チャンネル状態情報、中継２６２から端末機２６３までの経路２６５に対する第２チャンネル状態情報、および基地局２５１から中継２５２までの経路２５４に対する第３チャンネル状態情報をすべて考慮し、様々な送信モードのうちから第３送信モードを最適送信モードとして決めるようになる。
【００４３】
図３は、本発明に係る中継システムにおいて、端末機が最適送信モードを決める過程を示したフローチャートである。以下、図３を参照して、端末機が最適送信モードを決める過程について詳しく説明する。
【００４４】
段階Ｓ３１０では、端末機は、基地局から端末機までの経路に対する第１チャンネル状態情報を生成する。本発明の一実施形態によれば、第１チャンネル状態情報は、端末機が基地局から受信した第１パイロット信号に基づいて生成されるようになる。
【００４５】
段階Ｓ３２０では、端末機は、中継から端末機までの経路に対する第２チャンネル状態情報を生成する。本発明の一実施形態によれば、第２チャンネル状態情報は、端末機が中継から受信した第２パイロット信号に基づいて生成されるようになる。
【００４６】
本発明の一実施形態によれば、第１パイロット信号と第２パイロット信号は、互いに直交するようになる。第１パイロット信号と第２パイロット信号が互いに直交すれば、第１パイロット信号と第２パイロット信号が端末機に同時に受信される場合でも、端末機において第１パイロット信号と第２パイロット信号を互いに区分して受信することができるため、基地局から端末機までの経路と中継から端末機までの経路に対するチャンネル状態情報をすべて生成できるようになる。
【００４７】
本発明の他の実施形態によれば、第１パイロット信号と第２パイロット信号は、互いに他の時間に端末機に受信されることもできる。
【００４８】
段階Ｓ３３０では、中継は、基地局から中継までの経路に対する第３チャンネル状態情報を生成する。本発明の一実施形態によれば、第３チャンネル状態情報は、中継が基地局から受信した第３パイロット信号に基づいて生成されるようになる。
【００４９】
段階Ｓ３４０では、端末機は、中継が生成した第３チャンネル状態情報を中継から受信する。
【００５０】
段階Ｓ３５０では、端末機が生成した第１チャンネル状態情報、第２チャンネル状態情報、および端末機が受信した第３チャンネル状態情報に基づいて、複数の送信モードのうちのいずれか１つの送信モードを最適送信モードとして決める。本発明の一実施形態によれば、端末機は、複数の送信モードのうちから、所定のデータ送信率でデータを送信するために必要な基地局と中継との送信電力の合計が最小となる送信モードを最適送信モードとして決めるようになる。また、本発明の他の実施形態によれば、端末機は、複数の送信モードのうちから、基地局から端末機まで最大のデータ送信率でデータを送信する送信モードを最適送信モードとして決めるようにもなる。
【００５１】
本発明の一実施形態によれば、端末機は、図２で説明した３種類送信モードのうちの少なくとも１つを最適送信モードとして決めるようになる。
【００５２】
段階Ｓ３６０では、端末機は、基地局から中継に、基地局から端末機に、または中継から端末機に送信されるデータの変調方式とチャンネルコーディング方式を決めるようになる。基地局、中継、端末機を連結する経路のチャンネル状態は、時間によって変化するため、変化したチャンネル状態に最適な変調方式とチャンネルコーディング方式も時間によって相違する。したがって、端末機が第１チャンネル状態情報、第２チャンネル状態情報、および第３チャンネル状態情報を考慮し、各経路に最適な変調方式とチャンネルコーディング方式を決める。基地局と中継は、決められた変調方式とチャンネルコーディング方式に応じてデータをチャンネルコーディングして変調すれば、本発明で提案する中継システムは、常に最適な性能でデータを送信することが可能となる。
【００５３】
段階Ｓ３７０では、端末機は、前記のように決められた最適送信モードを基地局に送信する。基地局は、決められた最適送信モードを受信し、送信モードに応じてデータを送信する。また、基地局は、決められた最適送信モードを中継に送信し、中継が最適送信モードに応じてデータを送信できるようにする。
【００５４】
段階Ｓ３８０では、端末機は、前記のように決められたデータ変調方式とチャンネルコーディング方式を基地局に送信する。基地局は、決められた変調方式とチャンネルコーディング方式を参照してデータをチャンネルコーディングおよび変調し、中継および端末機にデータを送信する。また、基地局は、決められた変調方式とチャンネルコーディング方式を中継に送信し、中継が決められた変調方式とチャンネルコーディング方式に応じてデータを送信できるようにする。
【００５５】
本発明の一実施形態によって、端末機で中継システムの最適送信モードが決められれば、端末機で生成された第１チャンネル状態情報、第２チャンネル状態情報を基地局または中継にフィードバックする必要がない。したがって、端末機から中継または基地局にフィードバックされる情報量を最小化することができ、システムを簡潔に構成できるようになる。
【００５６】
図４は、本発明に係る中継システムにおいて、中継が最適送信モードを決める過程を示したフローチャートである。以下、図４を参照して、中継が最適送信モードを決める過程について詳しく説明する。
【００５７】
段階Ｓ４１０では、端末機は、基地局から端末機までの経路に対する第１チャンネル状態情報を生成する。本発明の一実施形態によれば、第１チャンネル状態情報は、端末機が基地局から受信した第１パイロット信号に基づいて生成されるようになる。
【００５８】
段階Ｓ４２０では、中継は、端末機が生成した第１チャンネル状態情報を端末機から受信する。
【００５９】
段階Ｓ４３０では、端末機は、中継から端末機までの経路に対する第２チャンネル状態情報を生成する。本発明の一実施形態によれば、第２チャンネル状態情報は、端末機が中継から受信した第２パイロット信号に基づいて生成されるようになる。
【００６０】
本発明の一実施形態によれば、第１パイロット信号と第２パイロット信号は、互いに直交するようになる。第１パイロット信号と第２パイロット信号が互いに直交すれば、第１パイロット信号と第２パイロット信号が端末機で同時に受信される場合でも、端末機において第１パイロット信号と第２パイロット信号を互いに区分して受信することができるため、基地局から端末機までの経路と中継から端末機までの経路に対するチャンネル状態情報をすべて生成できるようになる。
【００６１】
本発明の他の実施形態によれば、第１パイロット信号と第２パイロット信号は、互いに他の時間に端末機に受信されることもできる。
【００６２】
段階Ｓ４４０では、中継は、端末機が生成した第２チャンネル状態情報を端末機から受信する。
【００６３】
段階Ｓ４５０では、中継は、基地局から中継までの経路に対する第３チャンネル状態情報を生成する。本発明の一実施形態によれば、第３チャンネル状態情報は、中継が基地局から受信した第３パイロット信号に基づいて生成されるようになる。
【００６４】
段階Ｓ４６０では、中継が受信した第１チャンネル状態情報、第２チャンネル状態情報、および中継が生成した第３チャンネル状態情報に基づいて、複数の送信モードのうちのいずれか１つの送信モードを最適送信モードとして決める。本発明の一実施形態によれば、中継は、複数の送信モードのうちから、所定のデータ送信率でデータを送信するために必要な基地局と中継の送信電力の合計が最小となる送信モードを最適送信モードとして決めるようになる。また、本発明の他の実施形態によれば、中継は、複数の送信モードのうちから、基地局から端末機まで最大のデータ送信率でデータを送信する送信モードを最適送信モードとして決めるようにもなる。
【００６５】
本発明の一実施形態によれば、中継は、図２で説明した３種類送信モードのうちの少なくとも１つを最適送信モードとして決めるようになる。
【００６６】
段階Ｓ４７０では、中継は、基地局から中継に、基地局から端末機に、または基地局から端末機に送信されるデータの変調方式とチャンネルコーディング方式を決めるようになる。基地局、中継、端末機を連結する経路のチャンネル状態は、時間によって変化するため、変化したチャンネル状態に最適な変調方式とチャンネルコーディング方式も時間によって相違する。したがって、中継が第１チャンネル状態情報、第２チャンネル状態情報、および第３チャンネル状態情報を考慮し、各経路に最適な変調方式とチャンネルコーディング方式を決める。基地局と端末機は、前記のように決められた変調方式とチャンネルコーディング方式に応じて、データをチャンネルコーディングおよびデコーディングして変調および復調すれば、本発明で提案する中継システムは、常に最適の性能でデータを送信できるようになる。
【００６７】
段階Ｓ４８０では、中継は、前記のように決められた最適送信モードを基地局に送信する。基地局は、決められた最適送信モードを受信し、最適送信モードに応じてデータを送信する。また、基地局は、決められた最適送信モードを端末機に送信し、端末機が最適送信モードに応じて適切にデータを受信できるようにする。
【００６８】
段階Ｓ４９０では、中継は、前記のように決められたデータ変調方式とチャンネルコーディング方式を基地局に送信する。基地局は、決められた変調方式とチャンネルコーディング方式を参照してデータをチャンネルコーディングおよび変調して、中継および端末機にデータを送信するようになる。また、基地局は、決められた変調方式とチャンネルコーディング方式を端末機に送信し、端末機が決められた変調方式とチャンネルコーディング方式に応じて適切にデータを受信できるようにする。
【００６９】
本発明の一実施形態によって、中継で中継システムの最適送信モードが決められれば、端末機で最適送信モードを決めるための計算過程を省略することができる。端末機で最適送信モードを決めるためには、各送信モードによる各経路で送信可能なデータ送信率や各経路における送信容量などを計算しなければならない。バッテリを用いて動作する端末機においては、データ送信率、送信容量などの計算も負担になるため、中継が最適送信モードを決めれば、端末機における電力消耗を節減することができる。
【００７０】
図５は、本発明に係る中継システムにおいて、基地局が最適送信モードを決める過程を示したフローチャートである。以下、図５を参照して、中継が最適送信モードを決める過程について詳しく説明する。
【００７１】
段階Ｓ５１０では、端末機は、基地局から端末機までの経路に対する第１チャンネル状態情報を生成する。本発明の一実施形態によれば、第１チャンネル状態情報は、端末機が基地局から受信した第１パイロット信号に基づいて生成されるようになる。
【００７２】
段階Ｓ５２０では、基地局は、端末機が生成した第１チャンネル状態情報を端末機から受信する。
【００７３】
段階Ｓ５３０では、端末機は、中継から端末機までの経路に対する第２チャンネル状態情報を生成する。本発明の一実施形態によれば、第２チャンネル状態情報は、端末機が中継から受信した第２パイロット信号に基づいて生成されるようになる。
【００７４】
本発明の一実施形態によれば、第１パイロット信号と第２パイロット信号は、互いに直交するようになる。第１パイロット信号と第２パイロット信号が互いに直交すれば、第１パイロット信号と第２パイロット信号が端末機で同時に受信される場合でも、端末機において第１パイロット信号と第２パイロット信号を互いに区分して受信することができるため、基地局から端末機までの経路と中継から端末機までの経路に対するチャンネル状態情報をすべて生成できるようになる。
【００７５】
本発明の他の実施形態によれば、第１パイロット信号と第２パイロット信号は、互いに他の時間に端末機で受信されることもできる。
【００７６】
段階Ｓ５４０では、基地局は、端末機が生成した第２チャンネル状態情報を端末機から受信する。
【００７７】
段階Ｓ５５０では、中継は、基地局から中継までの経路に対する第３チャンネル状態情報を生成する。本発明の一実施形態によれば、第３チャンネル状態情報は、中継が基地局から受信した第３パイロット信号に基づいて生成されるようになる。
【００７８】
段階Ｓ５６０では、基地局は、中継が生成した第３チャンネル状態情報を中継から受信する。
【００７９】
段階Ｓ５７０では、基地局は、基地局が受信した第１チャンネル状態情報、第２チャンネル状態情報、および第３チャンネル状態情報に基づいて、複数の送信モードのうちのいずれか１つの送信モードを最適送信モードとして決める。本発明の一実施形態によれば、基地局は、複数の送信モードのうちから、所定のデータ送信率でデータを送信するために必要な基地局と中継の送信電力の合計が最小となる送信モードを最適送信モードとして決めるようになる。また、本発明の他の実施形態によれば、基地局は、複数の送信モードのうちから、基地局から端末機まで最大のデータ送信率でデータを送信する送信モードを最適送信モードとして決めるようにもなる。
【００８０】
本発明の一実施形態によれば、基地局は、図２で説明した３種類送信モードのうちの少なくとも１つを最適送信モードとして決めるようになる。
【００８１】
段階Ｓ５８０では、基地局は、基地局から中継に、基地局から端末機に、または基地局から端末機に送信されるデータの変調方式とチャンネルコーディング方式を決めるようになる。基地局、中継、端末機を連結する経路のチャンネル状態は、時間によって変化するため、変化したチャンネル状態に最適な変調方式とチャンネルコーディング方式も時間によって相違する。したがって、基地局が第１チャンネル状態情報、第２チャンネル状態情報、および第３チャンネル状態情報を考慮し、各経路で最適な変調方式とチャンネルコーディング方式を決める。中継と端末機は、前記のように決められた変調方式とチャンネルコーディング方式に応じてデータをチャンネルコーディングおよびデコーディングして変調および復調すれば、本発明で提案する中継システムは、常に最適な性能でデータを送信できるようになる。また、基地局は、決められた変調方式とチャンネルコーディング方式を端末機に送信し、端末機が決められた変調方式とチャンネルコーディング方式に応じて適切にデータを受信できるようにする。
【００８２】
本発明の一実施形態によって、中継で中継システムの最適送信モードが決められれば、端末機で最適送信モードを決めるための計算過程を省略することができる。端末機で最適送信モードを決めるためには、各送信モードによる各経路で送信可能なデータ送信率や各経路における送信容量などを計算しなければならない。バッテリを用いて動作する端末機においては、データ送信率、送信容量などの計算も負担になるため、中継が最適送信モードを決めれば、端末機における電力消耗を節減することができる。
【００８３】
図６は、本発明に係る中継システムにおいて、最適送信モードを決め、決められた最適送信モードに応じてデータを送信するために基地局が送信するデータのフレーム構造を示した図である。本発明の一実施形態に係るデータのフレーム構造は、システム情報区間６１０と、第１時間区間６２０と、第２時間区間６３０とを含む。以下、図６を参照して、データのフレーム構造について詳しく説明する。
【００８４】
システム情報区間６１０は、プリアンブル（ｐｒｅａｍｂｌｅ）および第１最適送信モード６１１を含むようになる。プリアンブルとは、基地局、中継、および端末機が互いに予め知っている信号であって、基地局に属した中継と端末機は、プリアンブル信号を用いて基地局と時間同期を図るようになる（図面符号６３１、６４１）。
【００８５】
第１最適送信モード６１１は、第１最適送信モードが送信される第１データフレームを送信するための最適の送信モードである。図２で説明したように、基地局または中継を用いてデータを送信する方法の１つであって、本発明の一実施形態によれば、第１最適送信モードは基地局が決めたものであるが、中継または端末機が決めて基地局に送信したものであっても良い。
【００８６】
もし、第１最適送信モードとして決められた送信モードが第２送信モードまたは第３送信モードである場合には、システム情報区間６１０は、第１時間区間情報６１２と第２時間区間情報６１３を含むようになる。
【００８７】
第１時間区間情報６１２と第２時間区間情報６１３は、第１データフレーム内でそれぞれ第１時間区間と第２時間区との間の開始時間または終了時間を示す。第１時間区間６２０と第２時間区間６３０をフレームごとに異なるように設定し、これを各フレーム内に位置したシステム情報区間を介して基地局に属した中継と端末機に知らせるようになるため、基地局、中継、端末期間の経路のチャンネル状態に応じて最適の送信モードを運用することができる。中継と端末機は、動作６３１、６４１にて、第１最適送信モードを受信し、動作６３２、６４２にて、受信された第１最適送信モードが第２送信モードまたは第３送信モードである場合には第１時間区間情報を受信し、動作６３３、６４３にて、第２時間区間情報を受信して、決められた第１最適送信モードに応じてデータを受信することができる。
【００８８】
本発明の一実施形態によれば、第１データフレーム内で第１時間区間６２０と第２時間区間６３０の位置を固定し、システム情報区間６１０で第１時間区間情報６１２と第２時間区間情報６１３を省略して、簡単に本発明を実施することもできる。
【００８９】
もし、決められた第１最適送信モードが第１送信モードである場合には、基地局は、第１時間区間６２０と第２時間区間６３０を区分せずに、全体時間を用いて端末機にデータを送信する。
【００９０】
本発明の一実施形態によれば、決められた第１最適送信モードが第２送信モードである場合には、基地局は、第１時間区間６２０には端末機に送信すべきデータ全体を中継に送信６１４し、第２時間区間６３０には端末機に送信すべきデータ全体を端末機に送信６１６する。中継は、動作６３５にて、第１時間区間６２０には基地局からデータを受信６３４し、第２時間区間６３０には端末機にデータを送信する。端末機は、動作６４４にて、第２時間区間６３０に基地局および中継からデータを受信する。
【００９１】
本発明の一実施形態によれば、決められた第１最適送信モードが第３送信モードである場合には、基地局は、動作６１４にて、第１時間区間６２０には端末機に送信すべきデータのうちの一部を中継に送信し、動作６１６にて、第２時間区間６３０には端末機に送信すべきデータの残りを端末機に送信する。中継は、動作６３４にて、第１時間区間６２０には基地局からデータを受信し、動作６３５にて、第２時間区間６３０には端末機にデータを送信する。端末機は、動作６４４にて、第２時間区間６３０に基地局および中継からデータを受信する。
【００９２】
本発明の一実施形態によれば、基地局は、第２時間区間６３０に基地局から端末機まで第１パイロット信号６１７を送信するようになる。端末機は、動作６４５にて、第１パイロット信号を受信し、基地局から端末機までの経路に対して第１チャンネル状態情報を生成するようになる。
【００９３】
本発明の一実施形態によれば、中継は、第２時間区間６３０に中継から端末機まで第２パイロット信号を送信６３７するようになる。端末機は、動作６４５にて、第２パイロット信号を受信し、中継から端末機までの経路に対して第２チャンネル状態情報を生成するようになる。
【００９４】
本発明の一実施形態によれば、基地局は、第１時間区間６２０に基地局から中継まで第３パイロット信号６１５を送信するようになる。中継は、第３パイロット信号を受信３６３し、基地局から中継までの経路に対して第３チャンネル状態情報を生成するようになる。
【００９５】
本発明の一実施形態によれば、第１パイロット信号と第２パイロット信号は、互いに直交するようになる。第１パイロット信号と第２パイロット信号が互いに直交すれば、端末機は、第１パイロット信号と第２パイロット信号を互いに区分して受信６４５できる。端末機は、互いに区分されて受信されたパイロット信号に基づいて、それぞれの経路に対してチャンネル状態情報を生成するようになる。
【００９６】
本発明の一実施形態によれば、端末機、中継、または基地局は、第１チャンネル状態情報、第２チャンネル状態情報、および第３チャンネル状態情報を考慮して、第２最適送信モードを決めるようになる。決められた第２最適送信モードは、第１データフレーム以後に送信される第２データフレームを送信するための最適送信モードとして用いられる。
【００９７】
図７は、本発明に係る中継システムにおいて、端末機がデータを受信する過程を示したフローチャートである。以下、図７を参照して、端末機がデータを受信する過程について詳しく説明する。
【００９８】
段階Ｓ７１０では、端末機は、基地局から第１データフレームに含まれた第１最適送信モードを受信する。本発明の一実施形態によれば、第１最適送信モードは、中継システムの送信電力が最小になるように決められても良いし、データ送信率が最大になるように決められても良い。
【００９９】
本発明の一実施形態によれば、第１最適送信モードは、基地局が端末機に送信すべきデータ全体を基地局から端末機に直接送信する第１送信モードと、データ全体を基地局から端末機に直接送信し、データ全体を基地局から中継を経由して端末機に送信する第２送信モードと、データのうちの一定部分を基地局から端末機に直接送信し、データのうちの残り部分を基地局から中継を経由して端末機に送信する第３送信モードのうちの少なくとも１つを含むものである。
【０１００】
第１最適送信モードは、第１最適送信モードが含まれた第１データフレームを送信するための最適送信モードである。
【０１０１】
段階Ｓ７２０では、端末機は、受信された第１最適送信モードを参照する。
【０１０２】
もし、受信された第１最適送信モードが第１送信モードであれば、段階Ｓ７３１で、端末機は、基地局から直接データを受信する。
【０１０３】
もし、受信された第１最適送信モードが第２送信モードであれば、端末機は、段階Ｓ７４１で、第１時間区間情報と第２時間区間情報を追加で受信する。
【０１０４】
段階Ｓ７４２で、端末機は、第２時間区間情報に基づいて、第２時間区間内に基地局と中継から情報を受信する。基地局と中継から受信される情報は、すべて同じ情報である。
【０１０５】
本発明の一実施形態によれば、端末機は、第２時間区間に基地局から送信される第１パイロット信号を受信して、基地局から端末機までの経路に対する第１チャンネル状態情報を生成するようになる。
【０１０６】
もし、受信された第１最適送信モードが第３送信モードであれば、端末機は、段階Ｓ７５１で、第１時間区間情報と第２時間区間情報を追加で受信する。
【０１０７】
段階Ｓ７５２で、端末機は、第２時間区間情報に基づいて、第２時間区間内に基地局と中継から情報を受信する。基地局と中継から受信される情報は、互いに相違する情報である。本発明の一実施形態によれば、基地局からは基地局が端末機に送信するデータの一部のみを受信し、中継からは残りのデータを受信するようになる。
【０１０８】
本発明の一実施形態によれば、端末機は、第２時間区間に中継から送信される第２パイロット信号を受信して、中継から端末機までの経路に対する第２チャンネル状態情報を生成するようになる。
【０１０９】
本発明の一実施形態によれば、第１パイロット信号と第２パイロット信号は、互いに直交するようになる。第１パイロット信号と第２パイロット信号が互いに直交すれば、端末機において第１パイロット信号と第２パイロット信号を同時に受信しながらも、２つのパイロット信号を互いに区分して受信することができ、各経路に対するチャンネル状態情報を生成できるようになる。
【０１１０】
本発明の一実施形態によれば、端末機は、第１チャンネル状態情報と第２チャンネル状態情報を基地局または中継に送信し、基地局または中継において第２データフレームを送信するのに最適な第２最適送信モードを決めるようになる。
【０１１１】
本発明の一実施形態によれば、端末機は、基地局から中継までの経路に対する第３チャンネル状態情報を中継から受信し、第１チャンネル状態情報、第２チャンネル状態情報、第３チャンネル状態情報に基づいて第２最適送信モードを決めるようになる。決められた第２最適送信モードは、第１データフレーム以後に送信される第２データフレームを送信するための最適送信モードとして用いられる。
【０１１２】
本発明の一実施形態によれば、端末機は、決められた第２最適送信モードを基地局に送信するようになる。基地局は、第２データフレームのシステム情報区間に第２最適送信モードの情報を含んで送信し、各中継と端末が第２最適送信モードを参照して第２データフレームを転送したり受信したりできるようになる。
【０１１３】
本発明の一実施形態によれば、端末機は、決められた第２最適送信モードを参照して第２データフレームを受信するようになる。
【０１１４】
本発明の一実施形態によれば、端末機は、データフレームのシステム情報区間で受信するデータの変調方式またはチャンネルコーディング方式を受信するようになる。端末機は、受信した変調方式またはチャンネルコーディング方式に基づいてデータを受信するようになる。
【０１１５】
本発明の一実施形態によれば、端末機は、複数の搬送波を用いてデータを受信するようになる。複数の搬送波を用いてデータを受信する一実施形態として、端末機は、直交波周波数分割多重（Ｏｒｔｈｏｇｏｎａｌ  Ｆｒｅｑｕｅｎｃｙ  ＤｉｖｉｓｉｏｎＭｕｌｔｉｐｌｅｘｉｎｇ：ＯＦＤＭ）方式を用いてデータを受信するようになる。この場合、基地局が送信する第１最適送信モード、データの変調方式、チャンネルコーディング方式は、各搬送波別に相違する場合がある。端末機は、各搬送波別に異なる第１最適送信モード、データ変調方式、チャンネルコーディング方式に応じてデータを受信するようになる。
【０１１６】
図８は、本発明に係る中継システムにおいて、中継がデータを転送する過程を示したフローチャートである。以下、図８を参照して、中継がデータを転送する過程について詳しく説明する。
【０１１７】
段階Ｓ８１０では、中継は、基地局から第１データフレームに含まれた第１最適送信モードを受信する。本発明の一実施形態によれば、第１最適送信モードは、中継システムの送信電力が最小になるように決められても良いし、データ送信率が最大になるように決められても良い。
【０１１８】
本発明の一実施形態によれば、第１最適送信モードは、基地局が端末機に送信すべきデータ全体を基地局から端末機に直接送信する第１送信モードと、データ全体を基地局から端末機に直接送信し、データ全体を基地局から中継を経由して端末機に送信する第２送信モードと、データのうちの一定部分を基地局から端末機に直接送信し、前記データのうちの残りの部分を基地局から中継を経由して端末機に送信する第３送信モードのうちの少なくとも１つを含むようになる。
【０１１９】
段階Ｓ８２０では、中継は、受信された第１最適送信モードを参照する。
【０１２０】
もし、受信された第１最適送信モードが第１送信モードである場合には、データは基地局から端末機に直接送信される。
【０１２１】
もし、受信された第１最適送信モードが第２送信モードまたは第３送信モードであれば、中継は、段階Ｓ８３０で、第１時間区間情報と第２時間区間情報を追加で受信する。
【０１２２】
段階Ｓ８４０では、中継は、第１時間区間内に基地局からデータを受信する。本発明の一実施形態によれば、第１最適送信モードが第２送信モードである場合には、基地局から受信したデータは、基地局が端末機に送信するデータの全体であるが、第１最適送信モードが第３送信モードである場合には、基地局が端末機に送信するデータの一部である。
【０１２３】
段階Ｓ８５０では、中継は、第２時間区間内に端末機にデータを送信する。
【０１２４】
本発明の一実施形態によれば、中継は、基地局から中継までの第３パイロット信号に基づいて、基地局から中継までの経路に対する第３チャンネル状態情報を生成するようになる。
【０１２５】
本発明の一実施形態によれば、中継は、第３チャンネル状態情報を端末機または基地局に送信し、基地局または端末機が第２データフレームにおいて中継システムの第２最適送信モードを決めるようにする。
【０１２６】
本発明の一実施形態によれば、中継は、基地局から端末機までの経路に対する第１チャンネル状態情報を端末機から受信し、中継から端末機までの経路に対する第２チャンネル状態情報を端末機から受信し、第１チャンネル状態情報、第２チャンネル状態情報、第３チャンネル状態情報に基づいて第２最適送信モードを決めるようになる。決められた第２最適送信モードは、第１データフレーム以後に送信される第２データフレームを送信するための最適送信モードとして用いられるようになる。
【０１２７】
本発明の一実施形態によれば、中継は、決められた第２最適送信モードを基地局に送信するようになる。基地局は、第２データフレームのシステム情報区間に第２最適送信モードを含んで送信し、各中継と端末が第２最適送信モードを参照して第２データフレームを転送したり受信したりできるようになる。
【０１２８】
本発明の一実施形態によれば、中継は、決められた第２最適送信モードを参照してデータを基地局から受信したり端末機に転送したりできるようになる。
【０１２９】
本発明の一実施形態によれば、中継は、受信するデータの変調方式またはチャンネルコーディング方式を受信するようになる。中継は、受信した変調方式またはチャンネルコーディング方式に基づいてデータを受信したり送信したりするようになる。
【０１３０】
本発明の一実施形態によれば、中継は、複数の搬送波を用いてデータを転送するようになる。複数の搬送波を用いてデータを転送する一実施形態として、中継は、直交波周波数分割多重方式を用いてデータを転送するようになる。この場合、基地局が送信する第１最適送信モード、データの変調方式、チャンネルコーディング方式は、各搬送波別に相違する場合がある。中継は、各搬送波別に異なる第１最適送信モード、データ変調方式、チャンネルコーディング方式に応じてデータを転送するようになる。
【０１３１】
図９は、本発明に係る中継システムにおいて、基地局がデータを送信する過程を示したフローチャートである。以下、図９を参照して、基地局がデータを送信する過程について詳しく説明する。
【０１３２】
段階Ｓ９１０では、基地局は、中継および端末機に第１データフレームのシステム情報区間に第１最適送信モードを含んで送信する。本発明の一実施形態によれば、第１最適送信モードは、中継システムの送信電力が最小になるように決められても良いし、データ送信率が最大になるように決められても良い。
【０１３３】
本発明の一実施形態によれば、第１最適送信モードは、基地局が端末機に送信すべきデータ全体を基地局から端末機に直接送信する第１送信モードと、データ全体を基地局から端末機に直接送信し、データ全体を基地局から中継を経由して端末機に送信する第２送信モード、およびデータのうちの一定部分を基地局から端末機に直接送信し、データのうちの残りの部分を基地局から中継を経由して端末機に送信する第３送信モードのうちの少なくとも１つを含むようになる。
【０１３４】
段階Ｓ９２０では、基地局は、決められた第１最適送信モードを参照する。
【０１３５】
もし、決められた第１最適送信モードが第１送信モードである場合には、段階Ｓ９３１で、データは、基地局から端末機に直接送信される。
【０１３６】
もし、決められた第１最適送信モードが第２送信モードである場合には、基地局は、段階Ｓ９４１で、第１時間区間情報と第２時間区間情報を追加で送信する。
【０１３７】
段階Ｓ９４２では、第１時間区間内に、基地局は、基地局が端末機に送信するデータ全体を中継に送信する。
【０１３８】
段階Ｓ９４３では、第２時間区間内に、基地局は、基地局が端末機に送信するデータ全体を端末機に送信する。
【０１３９】
もし、決められた第１最適送信モードが第３送信モードである場合には、基地局は、段階Ｓ９５１で、第１時間区間情報と第２時間区間情報を追加で送信する。
【０１４０】
段階Ｓ９５２では、第１時間区間内に、基地局は、基地局が端末機に送信するデータのうちの一部を中継に送信する。
【０１４１】
段階Ｓ９５３では、第２時間区間内に、基地局は、基地局が端末機に送信するデータのうちの残りを端末機に送信する。
【０１４２】
本発明の一実施形態によれば、基地局は、基地局から端末機までの経路に対する第１チャンネル状態情報を端末機から受信し、中継から端末機までの経路に対する第２チャンネル状態情報を受信し、基地局から中継までの経路に対する第３チャンネル状態情報を受信するようになる。基地局は、受信された第１チャンネル状態情報、第２チャンネル状態情報、第３チャンネル状態情報に基づいて第２最適送信モードを決めるようになる。決められた第２最適送信モードは、第１データフレーム以後に送信される第２データフレームを送信するための最適送信モードとして用いられるようになる。
【０１４３】
本発明の一実施形態によれば、基地局は、第２データフレームのシステム情報区間に決められた第２最適送信モードを含んで送信し、各中継および端末が第２最適送信モードを参照して第２データフレームをデータを転送したり受信したりするようになる。
【０１４４】
本発明の一実施形態によれば、基地局は、送信するデータの変調方式またはチャンネルコーディング方式を決めるようになる。基地局は、基地局が決めたデータの変調方式またはチャンネルコーディング方式を中継および端末機に送信されるデータフレームのシステム情報区間に含んで送信するようになる。
【０１４５】
本発明の一実施形態によれば、基地局は、複数の搬送波を用いてデータを送信するようになる。複数の搬送波を用いてデータを受信する一実施形態において、基地局は、直交波周波数分割多重方式を用いてデータを送信するようになる。この場合、基地局が送信する第１最適送信モード、データの変調方式、チャンネルコーディング方式は、各搬送波別に相違する場合がある。基地局は、各搬送波別に第１最適送信モード、データ変調方式、チャンネルコーディング方式を相違させて中継および端末機にデータを送信するようになる。
【０１４６】
また、本発明の実施形態は、コンピュータにより具現される多様な動作を実行するためのプログラム命令を含むコンピュータ読み取り可能な媒体を含む。前記媒体は、プログラム命令、データファイル、データ構造などを単独または組み合わせて含むこともできる。前記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。前記媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。本発明で説明された移動端末または基地局の動作の全部または一部がコンピュータプログラムで具現される場合、前記コンピュータを保存するコンピュータ読み取り可能な記録媒体も本発明に含まれる。
【０１４７】
図１０は、本発明によって、中継システムにおいて、基地局から端末機までデータを送信する最適送信モードを決める端末機の構成を示したブロック図である。図１０で示すように、端末機１０００は、チャンネル状態情報生成部１０１０と、受信部１０２０と、制御部１０３０と、送信部１０５０とを含む。以下、図１０を参照して、本発明に係る端末機の動作について詳しく説明する。
【０１４８】
チャンネル状態情報生成部１０１０は、基地局１０５０から端末機までの経路に対する第１チャンネル状態情報を生成し、中継１０６０から端末機までの経路に対する第２チャンネル状態情報を生成する。本発明の一実施形態によれば、第１チャンネル状態情報は、基地局１０５０から端末機が受信した第１パイロット信号に基づいて生成されるようになる。本発明の一実施形態によれば、第２チャンネル状態情報は、中継１０６０から端末機が受信した第２パイロット信号に基づいて生成されるようになる。
【０１４９】
受信部１０２０は、基地局１０５０から中継１０６０までの経路に対する第３チャンネル状態情報を中継１０６０から受信する。本発明の一実施形態によれば、第３チャンネル状態情報は、基地局１０５０から中継１０６０が受信した第３パイロット信号に基づいて生成されるようになる。
【０１５０】
制御部１０３０は、第１チャンネル状態情報、第２チャンネル状態情報、および第３チャンネル状態情報に基づいて、複数の送信モードのうちのいずれか１つの送信モードを中継システムの最適送信モードとして決める。
【０１５１】
送信部１０４０は、制御部１０３０が決めた最適送信モードを基地局１０５０に送信する。
【０１５２】
図１１は、本発明によって、中継システムにおいて、基地局１１５０から端末機１１６０までデータを送信する最適送信モードを決める中継の構成を示したブロック図である。図１１で示すように、中継１１００は、受信部１１１０と、チャンネル状態情報生成部１１２０と、制御部１１３０と、送信部１１４０とを含む。以下、図１１を参照して、本発明に係る中継の動作について詳しく説明する。
【０１５３】
受信部１１１０は、基地局１１５０から端末機１１６０までの経路に対する第１チャンネル状態情報を端末機１１６０から受信し、中継１１００から端末機１１６０までの経路に対する第２チャンネル状態情報を端末機１１６０から受信する。本発明の一実施形態によれば、第１チャンネル状態情報は、基地局１１５０から端末機１１６０が受信した第１パイロット信号に基づいて生成されるようになる。また、本発明の一実施形態によれば、第２チャンネル状態情報は、中継から端末機１１６０が受信した第２パイロット信号に基づいて生成されるようになる。
【０１５４】
チャンネル状態情報生成部１１２０は、基地局１１５０から中継までの経路に対する第３チャンネル状態情報を生成する。本発明の一実施形態によれば、第３チャンネル状態情報は、基地局１１５０から中継が受信した第３パイロット信号に基づいて生成されるようになる。
【０１５５】
制御部１１３０は、第１チャンネル状態情報、第２チャンネル状態情報、および第３チャンネル状態情報に基づいて、複数の送信モードのうちのいずれか１つの送信モードを中継システムの最適送信モードとして決める。
【０１５６】
送信部１１４０は、制御部１１３０が決めた最適送信モードを基地局１１５０に送信する。
【０１５７】
図１２は、本発明によって、中継システムにおいて、基地局から端末機までデータを送信する最適送信モードを決める基地局装置の構成を示したブロック図である。図１２で示すように、基地局装置１２００は、受信部１２１０と、制御部１２２０と、送信部１２３０とを含む。以下、図１２を参照して、本発明に係る基地局装置１２００の動作について詳しく説明する。
【０１５８】
受信部１２１０は、基地局装置１２００から端末機１２５０までの経路に対する第１チャンネル状態情報を端末機１２５０から受信し、中継１２４０から端末機１２５０までの経路に対する第２チャンネル状態情報を端末機１２５０から受信し、基地局装置１２００から中継１２４０までの経路に対する第３チャンネル状態情報を中継１２４０から受信する。本発明の一実施形態によれば、第１チャンネル状態情報は、基地局装置１２００から端末機１２５０が受信した第１パイロット信号に基づいて生成されるようになる。本発明の一実施形態によれば、第２チャンネル状態情報は、中継１２４０から端末機１２５０が受信した第２パイロット信号に基づいて生成されるようになる。本発明の一実施形態によれば、第３チャンネル状態情報は、基地局装置１２００から中継１２４０が受信した第３パイロット信号に基づいて生成されるようになる。
【０１５９】
制御部１２２０は、第１チャンネル状態情報、第２チャンネル状態情報、および第３チャンネル状態情報に基づいて、複数の送信モードのうちのいずれか１つの送信モードを中継システムの最適送信モードとして決める。
【０１６０】
送信部１２３０は、制御部１２２０が決めた最適送信モードを中継１２４０および端末機１２５０に送信する。
【０１６１】
図１３は、本発明によって、中継システムにおいて、基地局から中継を経由してデータを受信する端末機の構成を示したブロック図である。図１３で示すように、端末機１３００は、受信部１３１０を含む。以下、図１３を参照して、本発明に係る端末機の動作について詳しく説明する。
【０１６２】
受信部１３１０は、基地局１３２０から複数の送信モードのうちから決められた最適送信モードを受信し、受信された最適送信モードを参照してデータを受信する。
【０１６３】
本発明の一実施形態によれば、複数の送信モードは、基地局１３２０が端末機に送信すべきデータ全体を基地局１３２０から端末機に直接送信する第１送信モードと、基地局１３２０が端末機に送信すべきデータ全体を基地局１３２０から端末機に直接送信し、データ全体を基地局１３２０から中継１３３０を経由して端末機に送信する第２送信モードと、基地局１３２０が端末機に送信すべきデータのうちの一定部分を基地局１３２０から端末機に直接送信し、データのうちの残りの部分を基地局１３２０から中継１３３０を経由して端末機に送信する第３送信モードのうちの少なくとも１つを含むようになる。
【０１６４】
本発明の一実施形態によれば、受信部１３１０は、受信された最適送信モードが第２送信モードまたは第３送信モードである場合には、受信された最適送信モードと関連する受信時間区間情報を受信し、受信された受信時間区間情報に基づいて中継１３３０または基地局１３２０からデータを受信するようになる。
【０１６５】
上述した図３および図７において説明した端末機が最適送信モードを決める方法とデータ受信方法の構成は、図１３の端末機の構成に対してもそのまま適用可能であるため、これに関する詳しい説明は省略する。
【０１６６】
図１４は、本発明によって、基地局から受信したデータを端末機に転送する中継の構成を示したブロック図である。図１４で示すように、中継１４００は、受信部１４１０および転送部１４２０を含む。以下、図１４を参照して、本発明に係る中継１４００の動作について詳しく説明する。
【０１６７】
受信部１４１０は、複数の送信モードのうちから決められた最適送信モードを基地局１４３０から受信し、受信された最適送信モードを参照してデータを受信する。
【０１６８】
本発明の一実施形態によれば、複数の送信モードは、基地局１４３０が端末機１４４０に送信すべきデータ全体を基地局１４３０から端末機１４４０に直接送信する第１送信モードと、データ全体を基地局１４３０から端末機１４４０に直接送信し、データ全体を基地局１４３０から中継１４００を経由して端末機１４４０に送信する第２送信モードと、データのうちの一定部分を基地局１４３０から端末機１４４０に直接送信し、データのうちの残りの部分を基地局１４３０から中継１４００を経由して端末機１４４０に送信する第３送信モードのうちの少なくとも１つを含むようになる。
【０１６９】
本発明の一実施形態によれば、受信された最適送信モードが第２送信モードまたは第３送信モードである場合には、受信部１４１０は、受信された最適送信モードと関連する第１時間区間情報または第２時間区間情報を受信するようになる。本発明の一実施形態によれば、受信部１４１０は、受信された第１時間区間情報に基づいて基地局１４３０からデータを受信するようになる。
【０１７０】
転送部１４２０は、受信された最適送信モードを参照して、受信されたデータを端末機１４４０に転送する。
【０１７１】
本発明の一実施形態によれば、受信部１４１０が受信した最適送信モードが第２送信モードまたは第３送信モードである場合には、転送部１４２０は、受信された第２時間区間情報に基づいて、第１時間区間に受信したデータを端末機１４４０に転送するようになる。
【０１７２】
上述した図４および図８において説明した中継が最適送信モードを決める方法とデータ転送方法の構成は、図１４の中継の構成に対してもそのまま適用可能であるため、これに関する詳しい説明は省略する。
【０１７３】
図１５は、本発明によって、中継システムにおいて、中継を経由して端末機にデータを送信する基地局装置の構成を示したブロック図である。図１５で示すように、基地局装置１５００は、送信部１５１０を含む。以下、図１５を参照して、本発明に係る基地局の動作について詳しく説明する。
【０１７４】
送信部１５１０は、複数の送信モードのうちから決められた最適送信モードを中継１５２０または端末機１５３０に送信し、送信された最適送信モードを参照してデータを送信する。
【０１７５】
本発明の一実施形態によれば、複数の送信モードは、データ全体を基地局から端末機１５３０に直接送信する第１送信モードと、データ全体を基地局から端末機１５３０に直接送信し、データ全体を基地局から中継１５２０を経由して端末機１５３０に送信する第２送信モードと、データのうちの一定部分を基地局から端末機１５３０に直接送信し、データのうちの残り部分を基地局から中継１５２０を経由して端末機１５３０に送信する第３送信モードのうちの少なくとも１つを含むようになる。
【０１７６】
送信部１５１０は、送信された最適送信モードが第２送信モードまたは第３送信モードである場合に、送信された最適送信モードと関連する第１時間区間情報および第２時間区間情報を送信するようになる。
【０１７７】
送信部１５１０は、送信された最適送信モードが第２送信モードまたは第３送信モードである場合に、第１時間区間および第２時間区間情報を参照してデータを送信するようになる。
【０１７８】
上述した図５および図１０において説明した基地局が最適送信モードを決める方法とデータ受信方法の構成は、図１５の基地局の構成に対してもそのまま適用可能であるため、これに関する詳しい説明は省略する。
【図面の簡単な説明】
【０１７９】
【図１】本発明に係る中継システムを示した図である。
【図２ａ】本発明に係る中継システムにおける複数の送信モードを示した図である。
【図２ｂ】本発明に係る中継システムにおける複数の送信モードを示した図である。
【図２ｃ】本発明に係る中継システムにおける複数の送信モードを示した図である。
【図３】本発明に係る中継システムにおいて、端末機が最適送信モードを決める過程を示したフローチャートである。
【図４】本発明に係る中継システムにおいて、中継が最適送信モードを決める過程を示したフローチャートである。
【図５】本発明に係る中継システムにおいて、基地局が最適送信モードを決める過程を示したフローチャートである。
【図６】本発明に係る中継システムにおいて、最適送信モードを決め、決められた最適送信モードに応じてデータを送信するためのデータのフレーム構造を示した図である。
【図７】本発明に係る中継システムにおいて、端末機がデータを受信する過程を示したフローチャートである。
【図８】本発明に係る中継システムにおいて、中継がデータを転送する過程を示したフローチャートである。
【図９】本発明に係る中継システムにおいて、基地局がデータを送信する過程を示したフローチャートである。
【図１０】本発明によって、中継システムで基地局から端末機までデータを送信する送信モードを決める端末機の構成を示したブロック図である。
【図１１】本発明によって、中継システムで基地局から端末機までデータを送信する送信モードを決める中継の構成を示したブロック図である。
【図１２】本発明によって、中継システムで基地局から端末機までデータを送信する送信モードを決める基地局の構成を示したブロック図である。
【図１３】本発明によって、中継システムで基地局から中継を経由してデータを受信する端末機の構成を示したブロック図である。
【図１４】本発明によって、基地局から受信したデータを端末機に転送する中継の構成を示したブロック図である。
【図１５】本発明によって、中継システムから中継を経由して端末機にデータを送信する基地局の構成を示したブロック図である。
【符号の説明】
【０１８０】
１１０、２１１、２２１、２３１、２４１、２５１、２６１、１０５０、１１５０、１３２０、１４３０  基地局
１２０、２１２、２２２、２３２、２４２、２５２、２６２、１０６０、１２４０、１３３０、１５２０  中継
１３０、２１３、２２３、２３３、２４３、２５３、２６３、１１６０、１２５０、１４４０、１５３０  端末機
１４０  第１チャンネル状態情報
１５０  第２チャンネル状態情報
１６０  第３チャンネル状態情報
２１０、２３０、２５０  第１時間空間
２２０、２４０、２６０  第２時間空間
１０１０、１１２０  チャンネル状態情報生成部
１０２０、１１１０、１２１０、１３１０、１４１０  受信部
１０３０、１１３０、１２２０  制御部
１０４０、１１４０、１２３０、１５１０  送信部
１４１０  転送部
【図１】
0004705119.tif 000002
【図２ａ】
0004705119.tif 000003
【図２ｂ】
0004705119.tif 000004
【図２ｃ】
0004705119.tif 000005
【図３】
0004705119.tif 000006
【図４】
0004705119.tif 000007
【図５】
0004705119.tif 000008
【図６】
0004705119.tif 000009
【図７】
0004705119.tif 000010
【図８】
0004705119.tif 000011
【図９】
0004705119.tif 000012
【図１０】
0004705119.tif 000013
【図１１】
0004705119.tif 000014
【図１２】
0004705119.tif 000015
【図１３】
0004705119.tif 000016
【図１４】
0004705119.tif 000017
【図１５】
0004705119.tif 000018